(57)【要約】  本発明の発電装置は、タービンを駆動するために用いられる流体を加圧するプランジャー／ピストンアセンブリでテコとして作用する複数の対称的な連結されたアームを含んでなる。【選択図】図１
2015520597.tif 000002
【特許請求の範囲】
【請求項１】
汚染を伴わない大量の電力をコストをかけずに生成するための新規な機械であり、且つ新規な方法であることを特徴とするエレクトリーコグラ（Ｅｌｅｃｔｒｉｅｃｏｇｒａ）。
【請求項２】
機械は数組の連結され、対称的で、同期化されたアームを備え、機械の対称軸の両側に位置する対応するアームは同一であり、アームはクランクシャフト（４）とシャフト（１５）の２点において結合され、シャフト（１５）は支点として且つテコ（１３、１４）の回転点として作用することを特徴とするエレクトリーコグラ。
【請求項３】
アーム（１３、１４）はテコとして働くように往復運動を与えられることを特徴とするエレクトリーコグラ。
【請求項４】
全体としてのエレクトリーコグラ（Ｅｌｅｃｔｒｉｅｃｏｇｒａ）処理システムは、電動モーターと、新規な機械と、発電装置を備えており、
Ａ−アーム（１３、１４）は、連続的な往復運動をその下端において受け取り、その上端に伝達し、テコとして働くことによって受け取った力を増大させ、
Ｂ−アーム（１３、１４）の上端によって取得された運動は回転運動または連続往復運動に転換されることが可能であり、
Ｃ−自己が消費する量を上回る多くの量の電力を、汚染を伴わず、コストをかけずに生成し、
Ｄ−一度始動すると、自己の製造する電気が供給され、自給自足の連続運動に入り、
Ｅ−この連続運動は異なる連結されたアームの配列によりもたらされ、回転運動が開始されると、別の連続往復運動または回転運動に転換され、受け取られる力を増大し、
Ｆ−数組のアームはクランクシャフト（４）とシャフト（１５）の２点で結合され、
Ｇ−シリンダーの流体出口バルブは出口より流出する流体圧力を増大し、所望の圧力が得られるように、流入バルブより小さくなっていることを特徴とするエレクトリーコグラ処理システム。
【発明の詳細な説明】
【技術分野】
【０００１】
エレクトリーコグラ（Ｅｌｅｃｔｒｉｅｃｏｇｒａ）は、環境を損なわずに、汚染を伴わない大量の電力を、コストをかけずに生成するための新規な機械であり、新規な方法である。本発明は、エネルギーの分野に係り、より具体的には電力の生成に関する。
【背景技術】
【０００２】
現在の世界におけるエネルギー生産によって、人類にとって、以下のような深刻な問題が引き起こされている。
ａ．経済的問題−高いエネルギー価格。
ｂ．環境問題−大気、河川、海などの汚染。
ｃ．原子力エネルギーに関連する高いリスク。
ｄ．継続的な需要の増加。
【発明の概要】
【０００３】
そのためこうした問題点の解決策を見出すことが希求されており、その解決策のキーワードは、永続性、非汚染性、経済性、豊富さ、である。
【０００４】
よって本発明は、汚染を伴わない大量の電力を、コストをかけずに製造することにより上述の問題点を解決する、新しい機械と新しい方法に関する。
【図面の簡単な説明】
【０００５】
【図１】機械の部品類を示す図である。
【図２】機械の正面図である。
【図３】機械の平面図である。
【図４】機械の側面図である。
【図５】クランクシャフトの正面図である。
【図６】エレクトリーコグラ（ｅｌｅｃｔｒｉｅｃｏｇｒａ）の作動の概略図である。
【発明を実施するための形態】
【０００６】
〔本機械が根拠とする物理学の基礎〕
エレクトリーコグラ（Ｅｌｅｃｔｒｉｅｃｏｇｒａ）は２つの重要な物理学的原理を使用する。
１．テコの原理。
アーム（１３、１４）はテコとして働き、支点として働く軸（１５）のまわりをアームは回転する。連結部（１１、１２）に力を加えると、継続的な往復運動を生じる。
【０００７】
２．同時に発生する等しく、反対方向の力。
対称軸（３２）の軸の両側に対応して存在するアームは同一であるため、クランクシャフト（４）に作動するアーム（１３，１４）とアーム（９、１０）による合力の値はゼロであり、これによって機械の作動中のエネルギー消費が最少に維持され、利得を最大化する。
【０００８】
エレクトリーコグラ（Ｅｌｅｃｔｒｉｅｃｏｇｒａ）は、図１に示されるように、各グループが２つのアームを有する少なくとも２つのグループを備え、２つのアームを有する各グループは、図５に示されるように、両グループが交差するように配置される。
クランクシャフトのアーム（５、６）はアーム（９、１０）より短い。
アーム（１３、１４）は、その上端近傍をシャフト（１５）によって貫通されており、そのためアームは動くときテコとして作用する。
【０００９】
〔作動（ＦＵＮＣＩＯＮＡＭＩＥＮＴＯ）〕
電力を生成するプロセスは以下の工程を含んでなる。
電動モーターがプーリー（１）を回転し、プーリーベルト（２）を介して回転がプーリー（３）に伝達され、次いでクランクシャフト（４）を回転させる。クランクシャフト（４）のアーム（５、６）は円運動を連結部（７、８）に伝達し、アーム（９、１０）を介して連結部（１１、１２）において継続的な往復運動が生じる。当該連結部においては、アーム（９、１０）がアーム（５、６）より長いため、対称軸の一方の側の連結部が他方の側の連結部と交差することはない。
【００１０】
アーム（１３、１４）によって取得された往復運動は、テコの効果により増大された力を有して、シャフト（１５）の上の上端部に伝達される。
【００１１】
連結部（１６、１７）が受け取る力は、連結部（１１、１２）からシャフト（１５）までの距離である長さの関数である。
【００１２】
往復運動は、連結部（１６、１７）、アーム（１８、１９）、連結部（２０、２１）によってピストン（２２、２３）に伝達される。
【００１３】
ピストン（２２、２３）は、シリンダー（２４、２５）の内部に存在する流体（水または空気）に大きな推力を付与する。
【００１４】
シリンダー（２４、２５）から流体が出る流体出口バルブ（２８、２９）は、入口バルブ（２６、２７）より狭いので、流体が水の場合は、流体は高圧で流れ出る。
【００１５】
流体の噴射は強力な電流の生成装置を駆動するタービンに向けられ、これにより大量の電力が生成される。
【００１６】
本エレクトリーコグラ（ｅｌｅｃｔｒｉｅｃｏｇｒａ）は前述したアームと同一の２つ以上のアームを備え、それらは同一の機能を有してクランクシャフト（４）とシャフト（１５）により結合されており、そのため、それらのアームが同期されるので、流体の噴射が連続してタービンに衝突し、該タービンの連続的な運動を生じさせる。
【００１７】
本発電装置が動いている間、機械を駆動するモーターは電流源から切り離され、エレクトリーコグラ（Ｅｌｅｃｔｒｉｅｃｏｇｒａ）発電装置により生成される電流源に接続されて、その瞬間から電気を自給自足とし、自己が消費する電力よりも多くの電力を生成し、これにより継続的な運動が生成される。
【００１８】
余剰エネルギーが非常に大きい場合は、他のユーザーに分配することもできる。
使用される流体が水の場合は、シリンダー内への偶発的な空気の侵入を防ぐため、水の保管場所はシリンダーの高さより高くする。
【００１９】
タービンから落ちる水は集められて保管される。蓄えられた水は保管場所へと持ち上げられてそこからシリンダーへと送られ、再利用可能となる。
【００２０】
使用される流体が空気である場合は、空気を蓄える貯蔵場所が必要となり、空気の圧力が適切なレベルになったときに、タービンを駆動するために使用される。
【００２１】
その作動の理解に資するため、エレクトリーコグラ（ｅｌｅｃｔｒｉｅｃｏｇｒａ）の作動の概略図が図６に示される。
【００２２】
本発明の実施形態は、基本的に、軸まわりの回転に適合するように構成された端部を有する固定されたアームを具備するだけなので、非常にシンプルである。
【符号の説明】
【００２３】
１  電動モータープーリー
２  プーリーベルト
３  マシンプーリー
４  クランクシャフト
５、６  アーム
７、８  連結部
９、１０  アーム（５，６のアームより長い）
１１、１２  連結部
１３、１４  アーム（テコとして作動する）
１５  機械のテコの支点となる軸
１６、１７  連結部
１８、１９  アーム
２０、２１  連結部
２２、２３  ピストン
２４、２５  シリンダー
２６、２７  流体入口バルブ（水または空気）
２８、２９  流体出口バルブ（直径は２６、２７流体入口バルブより小さい）
【図１】
2015520597.tif 000003
【図２】
2015520597.tif 000004
【図３】
2015520597.tif 000005
【図４】
2015520597.tif 000006
【図５】
2015520597.tif 000007
【図６】
2015520597.tif 000008
【図７】
2015520597.tif 000009
【国際調査報告】
2015520597.tif 000010
2015520597.tif 000011
2015520597.tif 000012
2015520597.tif 000013